(57)【要約】【課題】デジタル投影機及びパソコンを携帯することを容易にさせる統合処理装置を提供すること。【解決手段】本発明に係る統合処理装置は、ハウジング、ホスト基板、キーボード及び投影装置を備える。前記ハウジングは、上側ハウジング部及び下側ハウジング部を備え、前記キーボードは、前記上側ハウジング部の上面に装着され、前記下側ハウジング部には、前記ホスト基板を収納するための収容凹部と開口を有する収容空間とが設けられる。前記投影装置は、前記収容空間内に移動可能に装着され、且つ前記開口を介して前記収容空間から引き出される。【選択図】図２
2013008362.tif 000002
【特許請求の範囲】
【請求項１】
ハウジング、ホスト基板、キーボード及び投影装置を備える統合処理装置であって、
前記ハウジングは、上側ハウジング部及び下側ハウジング部を備え、
前記上側ハウジング部の上面に前記キーボードが装着されており、前記下側ハウジング部には、前記ホスト基板を収納するための収容凹部と開口を有する収容空間とが設けられており、
前記投影装置は、前記収容空間内に移動可能に装着され、且つ前記開口を介して前記収容空間から引き出されることを特徴とする統合処理装置。
【請求項２】
前記収容凹部を画成する少なくとも１つの側壁には、放熱部が設けられることを特徴とする請求項１に記載の統合処理装置。
【請求項３】
前記上側ハウジング部の上面には、タッチパッドがさらに設けられることを特徴とする請求項１に記載の統合処理装置。
【請求項４】
前記統合処理装置は、取付底板をさらに備え、
前記投影装置は、前記取付底板の上面に装着され、
前記収容空間の短手方向の２つの側壁の底部には、それぞれガイドレールが設けられ、前記取付底板は、２つのガイドレールの間でスライド可能に設けられることを特徴とする請求項１に記載の統合処理装置。
【請求項５】
前記下側ハウジング部の片側の側壁には、外部の電子装置とデータをやり取りするための複数のポートが設けられることを特徴とする請求項１に記載の統合処理装置。
【発明の詳細な説明】
【技術分野】
【０００１】
本発明は、統合処理装置に関し、特に投影装置とパソコンとを一体に統合する装置に関するものである。
【背景技術】
【０００２】
現在、デジタル投影機は、会議、教育及びホームシアター等の商業用途或いは娯楽用途に広く用いられている。携帯に便利であるデジタル投影機は市場に出回っているが、一般のデジタル投影機は、パソコンと連動して動作する。即ち、映像を投影するたびに、デジタル投影機及びパソコンを共に準備しなければならないが、両者を一緒に携帯することは非常に不便である。
【発明の概要】
【発明が解決しようとする課題】
【０００３】
本発明は、上記の問題点を考慮してなされたものであり、デジタル投影機及びパソコンを一緒に容易に携帯することができる統合処理装置を提供することを目的とする。
【課題を解決するための手段】
【０００４】
上記の目的を達成するために、本発明に係る統合処理装置は、ハウジング、ホスト基板、キーボード及び投影装置を備える。前記ハウジングは、上側ハウジング部及び下側ハウジング部を備え、前記上側ハウジング部の上面に前記キーボードが装着されており、前記下側ハウジング部には、前記ホスト基板を収納するための収容凹部と開口を有する収容空間とが設けられている。前記投影装置は、前記収容空間内に移動可能に装着され、且つ前記開口を介して前記収容空間から引き出される。
【発明の効果】
【０００５】
本発明に係る統合処理装置は、キーボード、投影設備、ハウジング及びホスト基板を一体に統合することにより、デジタル投影機及びパソコンを容易に携帯することができる。
【図面の簡単な説明】
【０００６】
【図１】本発明の実施形態に係る統合処理装置の立体斜視図である。
【図２】図１に示した統合処理装置の分解図である。
【発明を実施するための形態】
【０００７】
図１及び図２に示したように、本発明の実施形態に係る統合処理装置１は、ハウジング１０と、前記ハウジング１０の上面に装着されるキーボード２０と、前記ハウジング１０の内部に設けられるホスト基板３０と、前記ハウジング１０内に移動可能に設けられる投影装置４０と、タッチパッド５０と、を備える。前記統合データ処理装置１は、前記ホスト基板３０及び前記投影装置４０を介して画像を投影する。
【０００８】
前記ハウジング１０は、上側ハウジング部１１と、下側ハウジング部１２と、取付底板１３と、を備える。前記キーボード２０は、前記上側ハウジング部１１の上面に固定される。前記下側ハウジング部１２には、収容凹部１２１及び収容空間１２２が形成される。前記収容凹部１２１及び前記収容空間１２２は、板状体によって互いに仕切られる。本実施形態において、前記収容凹部１２１は前記下側ハウジング部１２の右側に設けられ、前記収容空間１２２は前記下側ハウジング部１２の左側に設けられる。前記ホスト基板３０のメインボード及び他の電子部品は、前記収容凹部１２１内に収納される。前記投影装置４０は、前記収容空間１２２内に収納される。前記収容空間１２２の一側には、開口１２３がさらに設けられている。前記投影装置４０は、前記開口１２３を介して前記収容空間１２２内に押し込まれる或いは前記収容空間１２２から引き出される。
【０００９】
前記タッチパッド５０は、前記上側ハウジング部１１の上面に固定される。本発明の実施形態において、前記キーボード２０は前記ハウジング１０の右側に設けられ、前記タッチパッド５０は前記ハウジング１０の左側に設けられるが、他の実施形態において、両者の位置を変更してもよい。
【００１０】
前記収容空間１２２の前記ハウジング１０の短手方向に沿って延在する２つの側壁１２４の底部には、それぞれガイドレール１２５が設けられている。前記取付底板１３の長手方向の長さは、２つの前記ガイドレール１２５の間の距離に一致する。前記取付底板１３は、前記ガイドレール１２５の間にスライド可能に設けられる。前記投影装置４０は、前記取付底板１３の上で移動可能に設けられる。前記投影装置４０は、前記取付底板１３と共に前記開口１２３から引っ張り出された後、外力により前記取付底板１３に対して回転されて、異なる場所に投影することができる。
【００１１】
前記収容凹部１２１を画成する少なくとも１つの側壁１２６には、複数の放熱フィンからなる放熱部１２７が設けられている。前記ホスト基板３０は、前記放熱部１２７を介して放熱する。本発明の実施形態において、前記側壁１２６は、１つであり、且つ前記ハウジング１０の長手方向に沿って延在する。前記収容凹部１２１の前記側壁１２６とほぼ垂直に連接する側壁１２８には、複数のＩ／Ｏポート１２９が設けられる。前記側壁１２８は、前記ハウジング１０の短手方向に沿って延在する。前記Ｉ／Ｏポート１２９は、外部の他の電子装置とデータをやり取りする。
【００１２】
以上、本発明の好適な実施形態について詳細に説明したが、本発明は前記実施形態に限定されるものではなく、本発明の範囲内で種々の変形又は修正が可能であり、該変形又は修正も本発明の特許請求の範囲内に含まれるものであることは、いうまでもない。
【符号の説明】
【００１３】
１          統合処理装置
１０        ハウジング
１１        上側ハウジング部
１２        下側ハウジング部
１３        取付底板
２０        キーボード
３０        ホスト基板
４０        投影装置
５０        タッチパッド
１２１      収容凹部
１２２      収容空間
１２３      開口
１２４      側壁
１２５      ガイドレール
１２６      側壁
１２７      放熱部
１２８      側壁
１２９      Ｉ／Ｏポート
【図１】
2013008362.tif 000003
【図２】
2013008362.tif 000004